(57)【要約】【課題】延伸したピッチ状態に塑性変形を生ぜしめ、架設作業を完了したときには、何ら収縮状態に復元することがないようにするコイル状ケーブルハンガー延伸装置を得る。【解決手段】２つ割りのスリーブハーフ４ａ，４ｂを有し、メッセンジャーワイヤ３およびケーブル２に沿って軸線方向に移動することができる摺動スリーブ手段４と、スリーブ本体４Ａの周囲に取り付けることができ、スリーブ本体４Ａの周囲に沿って回転することができる複数個のローラが付いた転動リング手段５と、それぞれリング本体５Ａの平面にほぼ平行で半径方向に指向する軸線であって互いに角度をなす１対の回転軸線８ａ，８ｂの周りに、それぞれ回転自在に支持した１対のしごきローラ手段８Ａ，８Ｂとを具え、１対のローラ手段８Ａ，８Ｂの回転軸線がなす角度範囲内に、コイル状ケーブルハンガー６が通過することができる空間が存在するようリング本体５Ａの内面に窪み９を設ける。【選択図】図１
2005253235.tif 000002
【特許請求の範囲】
【請求項１】
電柱間に架設する電力または通信用のケーブルをメッセンジャーワイヤに束ねて支持するコイル状ケーブルハンガーの先端を牽引キャリッジに固定し、この牽引キャリッジを牽引することによりコイル状ケーブルハンガーを、メッセンジャーワイヤおよびケーブルの周囲にほぼの一定ピッチで延伸させて電柱間に架設するコイル状ケーブルハンガー延伸装置において、
メッセンジャーワイヤおよびケーブルの周囲に装着することができる２つ割りのスリーブハーフよりなるスリーブ本体を有し、前記メッセンジャーワイヤおよびケーブルに沿って軸線方向に移動することができる摺動スリーブ手段と、
前記スリーブ本体の周囲に取り付けることができる２つ割りのリングハーフよりなるリング本体を有し、前記スリーブ本体の周囲に沿って回転することができる複数個のローラが付いた転動リング手段と、
前記転動リング手段のリング本体の両側の側面で、それぞれリング本体の平面にほぼ平行で半径方向に指向する軸線であって互いに角度をなす少なくとも２個の回転軸線の周りに、それぞれ回転自在に支持したしごきローラ手段と
を具え、前記ローラ手段の回転軸線がなす角度範囲内に、コイル状ケーブルハンガーが通過することができる空間が存在するよう前記リング本体の内面に窪みを設けた
ことを特徴とするコイル状ケーブルハンガー延伸装置。
【請求項２】
前記転動リング手段は、リングを閉じたとき互いに１２０゜の間隔毎に配列する３個の転動ローラを有するものとした請求項１記載のコイル状ケーブルハンガー延伸装置。
【請求項３】
前記転動リング手段のリング本体に取り付けるしごきローラ手段は、互いの回転軸線がなす角度を調整自在に取り付け可能にした請求項１または２記載のコイル状ケーブルハンガー延伸装置。
【発明の詳細な説明】
【技術分野】
【０００１】
本発明は、電柱間に架設する電力または通信用のケーブルをメッセンジャーワイヤに束ねて支持するコイル状ケーブルハンガーの先端を牽引キャリッジに固定し、この牽引キャリッジを牽引することによりコイル状ケーブルハンガーを、メッセンジャーワイヤおよびケーブルの周囲にほぼの一定ピッチ及び内径となるよう延伸させて電柱間に架設するコイル状ケーブルハンガー延伸装置に関するものである。
【背景技術】
【０００２】
このようなコイル状ケーブルハンガー延伸装置としては、予め架設したケーブルハンガーに沿って電力または通信用のケーブルを新らたに架設する際に、本願人が実際に使用しているものがある（非特許文献１参照）。このコイル状ケーブルハンガー延伸装置は、ケーブルの先端およびコイル状ケーブルハンガーの先端の双方を固定した牽引キャリッジとの組み合わせにより使用し、牽引キャリッジに対してほぼ一定の間隔を保って牽引キャリッジにより、メッセンジャーワイヤに沿って牽引される。
【非特許文献１】大明株式会社「フレックステンダー」カタログ、平成１５年７月３０日発行
【０００３】
コイル状ケーブルハンガーは、尾端を手前側電柱の近傍でメッセンジャーワイヤに固定し、牽引キャリッジに隣接するケーブルハンガー延伸装置の前方部における小径リング部材の内部、およびこの小径リング部材の後方に離れた大径リング部材の内部にケーブルハンガーの前端部分を通過させて互いに卷回部が密着したコイル状態からケーブルハンガーを引き延ばすとき、小径リング部材と大径リング部材とを連結するガイドロッドによって牽引キャリッジで延伸される螺旋卷回部の直径を規制することにより、螺旋ピッチがほぼ一定となるようにしている。
【発明の開示】
【発明が解決しようとする課題】
【０００４】
しかし、コイル状ケーブルハンガーは、コイル状に密に卷回された金属の周りに螺旋溝を形成したプラスチックで被覆してあるため、伸縮自在の弾性を有する。従って、単に延伸しただけでは、この弾性によって元の卷回状態に復帰しようとする張力が常に作用していることになる。従って、もし、万一、延伸したコイル状ケーブルハンガーの端部のメッセンジャーワイヤに対するクランプが外れると、ある程度収縮し、ケーブルをメッセンジャーワイヤに保持する作用を減少させることになる。更に、元の密接卷回状態に急激に戻ろうとするため、危険でさえもある。
【０００５】
従って、本発明の目的は、コイル状ケーブルハンガーを延伸するとき、効率よくほぼ一定ピッチで延伸させるとともに、延伸したピッチ状態に塑性変形を生ぜしめ、架設作業を完了したときには、何ら収縮状態に復元することがないようにするコイル状ケーブルハンガー延伸装置を得るにある。
【課題を解決するための手段】
【０００６】
この目的を達成するため、本発明コイル状ケーブルハンガー延伸装置は、メッセンジャーワイヤおよびケーブルの周囲に装着することができる２つ割りのスリーブハーフよりなるスリーブ本体を有し、前記メッセンジャーワイヤおよびケーブルに沿って軸線方向に移動することができる摺動スリーブ手段と、前記摺動スリーブの周囲に取り付けることができる２つ割りのリングハーフよりなるリング本体を有し、前記スリーブ本体の周囲に沿って回転することができる複数個のローラが付いた転動リング手段と、前記転動リング手段のリング本体の両側の側面で、それぞれリング本体の平面にほぼ平行で半径方向に指向する軸線であって互いに角度をなす少なくとも２個の回転軸線の周りに、それぞれ回転自在に支持したしごきローラ手段とを具え、前記ローラ手段の回転軸線がなす角度範囲内に、コイル状ケーブルハンガーが通過することができる空間が生ずるよう前記リング本体の内面に窪みを設けたことを特徴とする。
【発明の効果】
【０００７】
本発明によれば、摺動スリーブがメッセンジャーワイヤおよびケーブルに沿って進行方向側に並進運動するとき、転動リング手段はこの摺動スリーブの周囲をコイル状ケーブルハンガーの螺旋を螺旋に沿って転動するとともに、転動リング手段の進行方向後方側の側面と進行方向前方側の側面のしごきローラ手段との間で、特に、転動リング手段の進行方向後方側の側面におけるしごきローラ手段によって、コイル状ケーブルハンガーに対してケーブルハンガーの卷回曲率を拡張する方向に塑性変形を加える。これにより、本発明コイル状ケーブルハンガー延伸装置を抜け出たケーブルハンガーはほぼ一定ピッチの螺旋形状を有するとともに、復元弾性は持たず、従って、進行方向前方側のクランプが外れたとしたも元の密接卷回状態には復帰しないようになる。
【発明を実施するための最良の形態】
【０００８】
本発明の好適な実施例においては、転動リング手段は、リングを閉じたとき互いに１２０゜の間隔毎に配列する３個の転動ローラを有するものとする。この構成によれば、転動リングの摺動スリーブの周りにの転動がスムーズになる。
【０００９】
更に、本発明の他の好適な実施例においては、転動リング手段のリング本体に取り付けるしごきローラ手段は、互いの回転軸線がなす角度を調整自在に取り付け可能にする。この構成によれば、塑性変形されて装置を抜け出るケーブルハンガーの螺旋ピッチを調整することができる。
【００１０】
次に、図面につき本発明の好適な実施例を説明する。
【実施例】
【００１１】
図１は、本発明の好適な実施例であるコイル状ケーブルハンガー延伸装置１を示す。本発明によれば、コイル状ケーブルハンガー延伸装置１は、電柱間に新たに架設する電力または通信用のケーブルのみならず、既設のケーブル２およびメッセンジャーワイヤ３の周りに装着することができる摺動スリーブ手段４、および転動リング手段５を有する。
【００１２】
既設のケーブル２とメッセンジャーワイヤ３の周りに装着した場合、コイル状ケーブルハンガー６の先端のみを牽引キャリッジ（図示せず）に固定し、この牽引キャリッジを牽引することによりコイル状ケーブルハンガー６を、既設ケーブル２およびメッセンジャーワイヤ３の周囲にほぼ一定のピッチで延伸させて電柱間に架設することができる。
【００１３】
摺動スリーブ手段４は、ケーブル２およびメッセンジャーワイヤ３の周囲に装着することができる２つ割りのスリーブハーフ４ａ、４ｂにより構成し、これらスリーブハーフをスリーブ本体４Ａとして合体させた後、図示しない任意の固定手段で固定する。これにより、摺動スリーブ手段４は、ケーブル２メッセンジャーワイヤ３の双方に沿って軸線方向に移動することができる。
【００１４】
転動リング手段５は、スリーブハーフ４ａ，４ｂよりなるスリーブ本体４Ａの前端部分の周囲に設けた転動溝４Ｂに沿って回転自在のリング本体５Ａを有する。このリング本体５Ａは、リングハーフ５ａ，５ｂにより構成する。図示の実施例の場合、リングハーフ５ａに１個の転動ローラ７ａを設け、リングハーフ５ｂには２個の転動ローラ７ｂ，７ｃを設ける。これら３個の転動ローラ７ａ，７ｂ，７ｃは、リングハーフ５ａ，５ｂをリング本体５Ａとして合体させたとき、互いに１２０゜の角度間隔毎に配列されるよう各リングハーフ５ａ，５ｂに設ける。
【００１５】
転動リング手段のリング本体５Ａの両側の側面、即ち、図示しない牽引キャリッジの進行方向に見て前方側面および後方側面に、それぞれリング本体５Ａの平面にほぼ平行で半径方向に指向する軸線であって互いに角度をなす少なくとも２個の、図示の実施例では１対の回転軸線８ａ，８ｂの周りに、それぞれ回転自在に支持したしごきローラ手段８Ａ，８Ｂを取り付ける。
【００１６】
これら１対のしごきローラ手段８Ａ，８Ｂの回転軸線がなす角度範囲内に、コイル状ケーブルハンガー６が通過する空間が存在するようにリング本体５Ａの内面に窪み９を設ける。
【００１７】
先端を図示しない牽引キャリッジに固定したコイル状ケーブルハンガー６は、図２に示すように１対のしごきローラ手段８Ａ，８Ｂの互いに対向する内側寄りの部分を通過してコイル状ケーブルハンガー延伸装置１抜け出る。
【００１８】
この状態で牽引キャリッジを牽引するとき、転動リング手段５は、ケーブルハンガー６の螺旋卷回に沿って移動する。即ち、転動リング手段５は、転動ローラ７ａ，７ｂ，７ｃを介して、摺動スリーブ手段４の周りの転動溝４Ｂに沿って回転する。また摺動スリーブ手段４は、この摺動スリーブ手段４の周りを回転する転動リング手段５とともに、ケーブル２およびメッセンジャーワイヤ３に沿って軸線方向に移動する。
【００１９】
このとき、密に卷回されたコイル状ケーブルハンガー６の前方部分６Ａは、牽引キャリッジにより引き延ばされるとともに、しごきローラ手段８Ａ，８Ｂの間で、特に、転動リング手段の進行方向後方側の側面におけるしごきローラ手段８Ｂによって、ケーブルハンガー６の卷回部における卷回曲率を拡張する方向のしごきを受け、塑性変形を生ずる。
【００２０】
この作用によって、コイル状ケーブルハンガー延伸装置１を抜け出たケーブルハンガーの前方部分６Ａは、図２に示すように、拡大した曲率でほぼ一定ピッチの螺旋形状に成形される。このように塑性変形されたケーブルハンガーの前方部分６Ａは、元の密接卷回状態に復元する弾性は持たず、従って、進行方向前方側のクランプが外れたとしたも元の密接卷回状態には復帰しないようになる。
【００２１】
この拡大曲率のほぼ一定ピッチ螺旋形状のピッチを可変にするため、好適な実施例においては、転動リング手段のリング本体５Ａに取り付けるしごきローラ手段８Ａ，８Ｂは、互いの回転軸線がなす角度を調整自在となるよう、複数個（図示の実施例では９個）の取り付け位置１０ａ〜１０ｉ（図１（ｂ）におけるリングハーフ５ａ，５ｂの９個の小円で示す）のうち随意の位置に取り付け可能にする。
【産業上の利用可能性】
【００２２】
本発明コイル状ケーブルハンガー延伸装置は、電力又は通信業界で利用でき、新設または既設の電力又は通信ケーブル、およびメッセンジャワイヤの周りに、コイル状ケーブルハンガーを、元の密接卷回状態に復元することがないようにして架設作業を安全かつ確実に行うことができる。
【図面の簡単な説明】
【００２３】
【図１】本発明コイル状ケーブルハンガー延伸装置の好適な実施例を示し、（ａ）は一部断面とする側面図、（ｂ）は前面側から見た端面図である。
【図２】図１の実施例により、コイル状ケーブルハンガーを延伸する状況を示す斜視図である。
【符号の説明】
【００２４】
１  コイル状ケーブルハンガー延伸装置
２  ケーブル
３  メッセンジャーワイヤ
４  摺動スリーブ手段
4a,4b スリーブハーフ
４Ａ  スリーブ本体
４Ｂ  転動溝
５  転動リング手段
5a,5b リングハーフ
５Ａ  リング本体
６  コイル状ケーブルハンガー
7a,7b,7c  転動ローラ
8a,8b 回転軸線
8A,8B しごきローラ手段
９  窪み
10a〜10i  取付位置
【図１】
2005253235.tif 000003
【図２】
2005253235.tif 000004